(57)【要約】【課題】            被介護者である患者等には、ベッド柵をベッドフレームから取り外せなくするとともに、介護者等には、簡単操作にて速やかにベッドフレームから取り外したり、再び装着したりすることができるベッド柵の取付装置を提供する。【解決手段】          ベッドのベッドフレームに垂直方向に装着孔が貫通して設けられ、この装着孔にベッド柵に固定されて垂下する中空の筒状ステーを挿入して着脱自在に取り付けるベッド柵の取付装置であって、  前記ベッドフレームの装着孔内に配置され、該装着孔内に挿入されたベッド柵の筒状ステー内に挿入して支持し、装着孔からの筒状ステーの抜け出しをロックする支持部材と、  該ベッドフレームの装着孔内に配置された支持部材を、ベッドフレームとの間に締め付け装着孔内に立設固定する固定ボルトと、  前記ベッド柵の筒状ステー内に挿入された支持部材の、筒状ステーに対するロックおよびロック解除をする操作部材と、を具備する。【選択図】          図２
2010004922.tif 000002
【特許請求の範囲】
【請求項１】
ベッドのベッドフレームに垂直方向に装着孔が貫通して設けられ、この装着孔にベッド柵に固定されて垂下する中空の筒状ステーを挿入して着脱自在に取り付けるベッド柵の取付装置であって、
前記ベッドフレームの装着孔内に配置され、該装着孔内に挿入されたベッド柵の筒状ステー内に挿入して支持し、装着孔からの筒状ステーの抜け出しをロックする支持部材と、
該ベッドフレームの装着孔内に配置された支持部材を、ベッドフレームとの間に締め付け装着孔内に立設固定する固定ボルトと、
前記ベッド柵の筒状ステー内に挿入された支持部材の、筒状ステーに対するロックおよびロック解除をする操作部材と、を具備し、
前記支持部材は、中空筒状の支柱部とその基端側の中空の台座部とで構成され、台座部の内周面にはねじが設けられ、支柱部には少なくとも２つのストッパ片が基端側を隣り合わせ先端側を支柱部外方に向けて翼状に配置し、基端側を支柱部に回動可能に枢着して拡縮径可能に取付られ、このストッパ片には、拡径方向に付勢するばねが設けられて構成され、
前記固定ボルトは、先端側の外周面にねじが設けられた中空の筒体で形成され、ベッドフレームの下端面外側から前記装着孔内に挿入し、前記装着孔内に配置された前記支持部材の台座部内周面のねじに螺入し同心的にねじ結合し、支持部材をベッドフレームとの間に締め付け装着孔内に立設固定する構成となり、
前記操作部材は、前記固定ボルトの下端面より中空の筒体内に挿入し、この筒体と同心的にねじ結合している支持部材の支柱部内に到達させ、該支柱部に設けた２つのストッパ片の基端間に差し抜きするロックピンを有することを特徴とするベッド柵の取付装置。
【請求項２】
ベッドフレームの装着孔の下部内径に略々合致する外形状で、前記支持部材の台座部が合致して嵌入する中空となっているアダプターを備え、該アダプターを装着孔の下部に配置し、支持部材はアダプターを介し装着孔内に立設固定して取り付けられることを特徴とする請求項１記載のベッド柵の取付装置。
【請求項３】
前記支持部材の支柱部には、支柱部に直交して２枚の軸受プレートが平行に設けられ、前記ストッパ片は、この平行する軸受プレート間に基端側を隣り合わせ先端側を互いに反対方向に向かって翼状に突出して、基端側が軸受プレートに枢支されて回動可能となっていることを特徴とする請求項１または２記載のベッド柵の取付装置。
【請求項４】
前記軸受プレートには、軸受孔が設けられ、前記ストッパ片には枢軸が突設され、ストッパ片は枢軸を軸受孔に枢支して回動可能となっており、前記軸受孔は長孔に形成されストッパ片は該長孔の範囲で移動可能となっていることを特徴とする請求項３記載のベッド柵の取付装置。
【請求項５】
前記平行する軸受プレートは、支持部材の支柱部に水平方向移動可能に装着され、この軸受プレートには、切欠が設けられ、支柱部から該切欠に向かってピンが挿入され、軸受プレートはこの切欠の範囲で移動量が規制されていることを特徴とする請求項３または４に記載のベッド柵の取付装置。
【請求項６】
前記支柱部のストッパ片の下側に、ストッパ片に当接して中心に長孔を有する規制プレートが上下動可能に設けられ、該規制プレートの下側に規制プレートを介しストッパ片を押圧するばねが設けられていることを特徴とする請求項１乃至５のいずれかに記載のベッド柵の取付装置。
【請求項７】
前記操作部材は、操作摘みに軸部が突設され、該軸部の頂部にロックピンが固設されてなり、軸部は操作摘み側が小径部で、この小径部から頂部側が段差を介して大径部に形成され、該大径部の外面には垂直方向に凹溝が設けられ、
前記固定ボルトには筒体の中空内に向けてピンが突設され、前記操作部材をロックピン側から固定ボルトの筒体内に挿入し、該ピンと軸部大径部の凹溝が一致したとき操作部材の進退を許容し、ロックピンが支持部材の支柱部内に到達し、２つのストッパ片の基端間に差し込まれ、ストッパ片の回動を規制した状態で操作部材を水平方向に回動させると固定ボルトのピンの位置が凹溝位置より段差位置となり、この段差がピンに係止され操作部材がロック状態を維持することを特徴とする請求項１乃至６のいずれかに記載のベッド柵の取付装置。
【請求項８】
固定ボルトの筒体の内径は、下端側が小径で、上方が段差を介し大径に形成され、操作部材の軸部小径部は、小径の内径部分に位置し進退し、軸部大径部は、大径の内径部分に位置し進退し、操作部材の下方向への移動は、軸部大径部が小径の内径部となる段差で係止されて規制されることを特徴とする請求項７記載のベッド柵の取付装置。
【請求項９】
前記支持部材の台座部と操作部材の軸部との間に、軸部を弾発付勢するばねが介在することを特徴とする請求項７または８に記載のベッド柵の取付装置。
【発明の詳細な説明】
【技術分野】
【０００１】
本発明は、介護ベッド等のベッドに取り付けられて、就寝者や被介護者、或いは寝具などがベッド上から転落するのを防止するベッド柵の取付装置に関する。
【背景技術】
【０００２】
就寝者、被介護者を含む患者、寝具などが床上へ落下するのを防止するために、ベッド側部等のベッドフレーム上にベッド柵が取り付けられている。一方、ベッドに対する就寝者や被介護者の上り下りには、そのベッド柵が障害となるため、必要に応じてこのベッド柵がベッドフレームに対して着脱自在な構成とされている。
【０００３】
このベッド柵の着脱構造には、例えばベッドフレームに設けられた保持孔にベッド柵に一体の支柱を挿入および脱抜自在にするものがある。また、ベッドフレーム内に収納した傾斜面を有する可動片を、レバー操作によって固定側部材の傾斜面に圧接させ、この圧接により滑りながらオフセットする可動片を保持孔の内周面に圧接保持させることにより、ベッドフレームにベッド柵を保持可能にするものがある（例えば、特許文献１参照）。
【０００４】
さらに、ベッドフレームに設けられた係止孔に、レバー操作による圧縮操作によって弾性変形部材を保持孔の内周に密接させることにより、ベッドフレームにベッド柵を保持可能にするものがある（例えば、特許文献２参照）。
【特許文献１】特開平８−１９６５７７号公報
【特許文献２】特開平９−２０６３３７号公報
【発明の開示】
【発明が解決しようとする課題】
【０００５】
しかしながら、介護施設で使用される介護ベッド、例えば前述のようにベッドフレームの保持孔にベッド柵の支柱を単に挿し込んだ介護ベッドでは、痴呆症の患者がベッド柵をベッドフレームから引き抜いて暴れることがあり、介護者に危害が及ぶ危険があった。
【０００６】
また、特許文献１、２に記載のベッド柵にあっても、これを患者が長時間または繰り返し揺り動かした場合には、ベッドフレームから外れる場合があった。
これに対して、前記ベッド柵の支柱をベッドフレームに対し、ボルトなどの締結具を用いて固定する方法が考えられるが、ベッドに対する乗り降りの度に、いちいちボルトを緩めて、ベッド柵をベッドフレームから取り外す作業などが面倒であるなどの不都合があった。
【０００７】
本発明は、前記のような従来の不都合を解消するものであり、被介護者である患者等には、ベッド柵をベッドフレームから取り外せなくするとともに、介護者等には、簡単操作にて速やかにベッドフレームから取り外したり、再び装着したりすることができるベッド柵の取付装置を得ることを目的とする。
【課題を解決するための手段】
【０００８】
前記課題を解決するため、本発明のベッド柵の取付装置は、ベッドのベッドフレームに垂直方向に装着孔が貫通して設けられ、この装着孔にベッド柵に固定されて垂下する中空の筒状ステーを挿入して着脱自在に取り付けるベッド柵の取付装置であって、
前記ベッドフレームの装着孔内に配置され、該装着孔内に挿入されたベッド柵の筒状ステー内に挿入して支持し、装着孔からの筒状ステーの抜け出しをロックする支持部材と、
該ベッドフレームの装着孔内に配置された支持部材を、ベッドフレームとの間に締め付け装着孔内に立設固定する固定ボルトと、
前記ベッド柵の筒状ステー内に挿入された支持部材の、筒状ステーに対するロックおよびロック解除をする操作部材と、を具備し、
前記支持部材は、中空筒状の支柱部とその基端側の中空の台座部とで構成され、台座部の内周面にはねじが設けられ、支柱部には少なくとも２つのストッパ片が基端側を隣り合わせ先端側を支柱部外方に向けて翼状に配置し、基端側を支柱部に回動可能に枢着して拡縮径可能に取付られ、このストッパ片には、拡径方向に付勢するばねが設けられて構成され、
前記固定ボルトは、先端側の外周面にねじが設けられた中空の筒体で形成され、ベッドフレームの下端面外側から前記装着孔内に挿入し、前記装着孔内に配置された前記支持部材の台座部内周面のねじに螺入し同心的にねじ結合し、支持部材をベッドフレームとの間に締め付け装着孔内に立設固定する構成となり、
前記操作部材は、前記固定ボルトの下端面より中空の筒体内に挿入し、この筒体と同心的にねじ結合している支持部材の支柱部内に到達させ、該支柱部に設けた２つのストッパ片の基端間に差し抜きするロックピンを有することを特徴とする。
【０００９】
これにより支持部材は、ベッドフレームの装着孔内の下部に位置させた後、固定ボルトの外周面にねじが設けられた筒体を、ベッドフレームの下端面外側から装着孔内に挿入し、前記装着孔内に配置された支持部材の台座部内周面のねじに螺入することによって同心的にねじ結合すると共に支持部材をベッドフレームとの間に締め付け装着孔内に立設固定することができる。
ベッド柵の筒状ステーの下端側は、先端に向けてテーパ状に縮径されているが、この筒状ステーをベッドフレームの装着孔に上方より挿入すると、前記装着孔内に立設固定された支持部材の支柱部に挿入する。この時、支柱部のストッパ片は、回動可能であるので、支持部材の支柱部は、筒状ステーの下端開口よりストッパ片をばねの弾発力に抗して回動されて縮径させつつ筒状ステー内に進入する。ストッパ片の部分が筒状ステーのテーパ状の縮径部分を通過すると、ストッパ片はばねの弾発力で拡径状態となり、ここで操作部材のロックピンを、固定ボルトの下端面より中空の筒体内に挿入し、この筒体と同心的にねじ結合している支持部材の支柱部内に到達させ、支柱部に設けた２つのストッパ片の基端間に差し込むと、ストッパ片の回動は規制され拡径状態に固定されるので、筒状ステーの抜け出しをロックすることができる。このロック状態から操作部材のロックピンを抜き取ると、ストッパ片は回動可能となり、ロックを解除することができる。
従って、ベッド柵は、筒状ステーをベッドフレームの装着孔に挿入した後、操作部材のロックピンを差し込んだり、抜き取ったりする操作だけで、簡単に取付けまたは取り外しができる。
【００１０】
また、本発明のベッド柵の取付装置は、ベッドフレームの装着孔の下部内径に略々合致する外形状で、前記支持部材の台座部が合致して嵌入する中空となっているアダプターを備え、該アダプターを装着孔の下部に配置し、支持部材はアダプターを介し装着孔内に立設固定して取り付けられることを特徴とする。
【００１１】
これによりベッドフレームの装着孔内の下部の形状に、種々のものが存在しても、このアダプターを使用することによって支持部材を安定させて立設支持することが可能となり、対応できることとなる。
【００１２】
また、本発明のベッド柵の取付装置は、前記支持部材の支柱部には、支柱部に直交して２枚の軸受プレートが平行に設けられ、前記ストッパ片は、この平行する軸受プレート間に基端側を隣り合わせ先端側を互いに反対方向に向かって翼状に突出して、基端側が軸受プレートに枢支されて回動可能となっていることを特徴とする。
これによりストッパ片は、回動可能に安定して取付けることができる。
【００１３】
また、本発明のベッド柵の取付装置は、前記軸受プレートには、軸受孔が設けられ、前記ストッパ片には枢軸が突設され、ストッパ片は枢軸を軸受孔に枢支して回動可能となっており、前記軸受孔は長孔に形成されストッパ片は該長孔の範囲で移動可能となっていることを特徴とする。
これにより支持部材は、筒状ステーと軸心が一致しなくても、ストッパ片が移動して対応できるので、筒状ステーに挿入可能となる。
【００１４】
また、本発明のベッド柵の取付装置は、前記平行する軸受プレートは、支持部材の支柱部に水平方向移動可能に装着され、この軸受プレートには、切欠が設けられ、支柱部から該切欠に向かってピンが挿入され、軸受プレートはこの切欠の範囲で移動量が規制されていることを特徴とする。
この構成においても支持部材は、筒状ステーと軸心が一致しなくても、ストッパ片を枢支する軸受プレートが移動することによりストッパ片も移動して対応できるので、筒状ステーに挿入可能となる。
【００１５】
また、本発明のベッド柵の取付装置は、前記支柱部のストッパ片の下側に、ストッパ片に当接して中心に長孔を有する規制プレートが上下動可能に設けられ、該規制プレートの下側に規制プレートを介しストッパ片を押圧するばねが設けられていることを特徴とする。
これによりストッパ片には、ばねの弾発力を安定して伝達し、ストッパ片を常に拡径状態に保持することが確保される。
【００１６】
また、本発明のベッド柵の取付装置は、前記操作部材は、操作摘みに軸部が突設され、該軸部の頂部にロックピンが固設されてなり、軸部は操作摘み側が小径部で、この小径部から頂部側が段差を介して大径部に形成され、該大径部の外面には垂直方向に凹溝が設けられ、
前記固定ボルトには筒体の中空内に向けてピンが突設され、前記操作部材をロックピン側から固定ボルトの筒体内に挿入し、該ピンと軸部大径部の凹溝が一致したとき操作部材の進退を許容し、ロックピンが支持部材の支柱部内に到達し、２つのストッパ片の基端間に差し込まれ、ストッパ片の回動を規制した状態で操作部材を水平方向に回動させると固定ボルトのピンの位置が凹溝位置より段差位置となり、この段差がピンに係止され操作部材がロック状態を維持することを特徴とする。
【００１７】
これにより操作部材のロックピンは、操作部材の進退操作で、支柱部の２つのストッパ片の基端間に差し込みロックしたり、抜き取りロック解除することができると共に、操作部材のロックピンが２つのストッパ片の基端間に差し込まれたロック状態を確実に保持することができる。
【００１８】
また、本発明のベッド柵の取付装置は、固定ボルトの筒体の内径は、下端側が小径で、上方が段差を介した大径に形成され、操作部材の軸部小径部は、小径の内径部分に位置し進退し、軸部大径部は、大径の内径部分に位置し進退し、操作部材の下方向への移動は、軸部大径部が小径の内径部となる段差で係止されて規制されることを特徴とする。
【００１９】
これにより操作部材が抜け落ちるのが防止でき、従って、操作部材は、固定ボルトに挿入した状態で常に保持させることができ、操作に便利であるし、操作部材がベッドフレームから分離されないので保管する不便もない。
【００２０】
さらに、本発明のベッド柵の取付装置は、前記支持部材の台座部と操作部材の軸部との間に、軸部を弾発付勢するばねが介在することを特徴とする。
【００２１】
これによりロックピンが支持部材の支柱部内に到達し、２つのストッパ片の基端間に差し込まれ、ストッパ片の回動を規制した状態で操作部材を水平方向に回動して固定ボルトのピンの位置が軸部大径部の凹溝位置よりずれて段差位置となり、この軸部の段差が固定ボルトのピンに係止されて操作部材がロック状態を維持するとき、この操作部材の軸部は、ばねで弾発付勢されて段差はピンに押圧される。従って、操作部材が不用意に回動し、ピンと凹溝が一致して操作部材の下動を許容し、ロックピンがストッパ片の基端間から抜け出すことが防止され、ロック状態は確実に保証される。なお、軸部の段差に、水平方向に回動するとき、ピンが係止される段部を設けると、信頼性はさらに向上する。
【発明の効果】
【００２２】
本発明のベッド柵の取付装置によれば、次のような効果を奏する。
（１）本発明は、支持部材がベッドフレームの装着孔内に固定されて立設され、この装着孔に挿入されたベッド柵の筒状ステー内に挿入され、支持部材のストッパ片はロックピンで回動が規制され拡径状態にロックされて筒状ステーの抜け出しを防止して取り付けられるので、ベッド柵はベッドフレームに取り付けられた状態を維持し、ベッド柵を取り外そうとしても、また、ベッド柵を揺らしても取り外せず、信頼の高い取付となる。しかも、支持部材のストッパ片の拡径状態のロックは、操作部材のロックピンを２つのストッパ片の基端間に差し込む操作だけなので、ベッド柵の筒状ステーをベッドフレームの装着孔に挿入した後、操作部材のロックピンを挿入するという簡単な操作でベッド柵を取り付けることができる。
【００２３】
（２）一方、ベッド柵を取り外す時は、操作部材のロックピンを、２つのストッパ片の基端間から抜き取ることでストッパ片のロックは解除されるので、操作部材のロックピンを引き抜く作業だけで、ベッド柵はベッドフレームの装着孔より引き抜いて取り外すことができる。
【００２４】
（３）支持部材の支柱部に設けられたストッパ片は、少しの範囲において水平方向への移動が可能となっているので、支持部材は、筒状ステーと軸心が一致しなくてもストッパ片が移動して対応し、筒状ステーに挿入可能となる。従って、筒状ステーをベッドフレームの装着孔に挿入すると、筒状ステーは操作部材内に固定立設された支持部材に必ず挿入する。よって取付作業も容易となる。
【００２５】
（４）操作部材のロックピンは、操作部材の進退操作で、支柱部の２つのストッパ片の基端間に差し込みロックしたり、抜き取りロック解除することができると共に、操作部材のロックピンが２つのストッパ片の基端間に差し込まれたロック状態を確実に保持することができ、信頼性が高い。
（５）操作部材は、固定ボルトに挿入した状態で常に保持させることができ、操作に便利であるし、操作部材が分離されないので保管する不便もない。
【００２６】
（６）操作部材でのロックおよびロック解除の操作は、ベッドフレームの下端面外側より実施するので、ベッドの使用者からは操作不可であり、一方、介護者等には、簡単操作にて速やかにベッドフレームから取り外すことができる。
（７）操作部材のロックピンは、ストッパ片のロック状態のとき、ロック状態を確実に維持できるので不用意にロック解除されることがなく、介護施設などで患者が暴れるなどしてベッド柵をベッドフレームから取り外そうとしても、容易に取り外すことはできない。
【発明を実施するための最良の形態】
【００２７】
以下、本発明の実施の形態について図面と共に詳細に説明する。図１は、本発明の実施の形態を示す全体の説明斜視図、図２は、本発明の実施の形態を示す要部断面図、図３は、本発明の実施の形態を示す要部拡大断面図、図４は、本発明の実施の形態を示す各部材の斜視図、図５は、本発明の実施の形態を示す分解斜視図、図６は、ストッパ片の作用を工程順（ａ）（ｂ）（ｃ）（ｄ）に示す断面図、図７は、ストッパ片の作動状態を示すストッパ片部分の斜視図（ａ）（ｂ）（ｃ）、図８は、操作部材の作動状態を示す操作部材部分の斜視図（ａ）（ｂ）（ｃ）、図９は、本発明の実施の形態を示すベッド柵の取付装置の組み付け方法を工程順（ａ）（ｂ）（ｃ）（ｄ）（ｅ）に示す断面説明図である。
【００２８】
本発明のベッド柵の取付装置は、図１に示すようにベッドＢのベッドフレーム１に垂直方向に装着孔２が貫通して設けられ、この装着孔２にベッド柵６に固定して垂下する中空の筒状ステー７を挿入して着脱自在に取付るものである。本実施の形態では、ベッドフレーム１は、例えば、角筒状鋼材等からなり、このガイドフレーム１に図２に示すように取付孔４が鉛直方向に設けられ、この取付孔４にスリーブ５が嵌合され、このスリーブ５が装着孔２となっている。このスリーブ５は、上端にフランジ部５ａが形成され、このフランジ部５ａが取付孔４周辺のベッドフレーム１上面に支持され、下方が先端方向にテーパ状に縮径３されて、先端が下方の取付孔４周辺にカシメ５ｂられて固定され、取り付けられている。この装着孔２を形成するスリーブ５の内周面には、図２および図３に示すようにゴム材、合成樹脂材、等で形成するスペーサー４１を設けると、ベッド柵６の筒状ステー７を装着孔２（５）に挿入したとき、筒状ステー７が合致して挿入しガタ付きが生じないので好ましい。
装着孔２に挿入するベッド柵６の筒状ステー７は中空であり、下方は先端に向けてテーパ状に縮径されている（図２および図３参照）。
【００２９】
本発明のベッド柵の取付装置は、図２、図３および図４に示すように、ベッドフレーム１の装着孔２内に配置され、該装着孔２内に挿入されたベッド柵６の筒状ステー７内に挿入して筒状ステー７を支持し、装着孔２からの筒状ステー７の抜け出しをロックする支持部材８と、該ベッドフレーム１の装着孔２内に配置された支持部材８を、ベッドフレーム１との間に締め付け装着孔２内に立設固定する固定ボルト２２と、前記ベッド柵６の筒状ステー７内に挿入された支持部材８の、筒状ステー７に対するロックおよびロック解除をする操作部材３０と、を具備し、ベッドフレーム１の装着孔２内に立設固定された支持部材８が、装着孔２内に挿入されたベッド柵６の筒状ステー７内に挿入して着脱自在に支持するものである
【００３０】
支持部材８は、図３に示すように中空筒状の支柱部９とその基端側の中空の台座部１０とで構成され、台座部１０の内周面にはねじ１１が設けられ、支柱部９には２つのストッパ片１２、１３が基端１２ａ、１３ａ側を隣り合わせ先端側を支柱部９外方に向けて翼状に配置され、基端１２ａ、１３ａ側を支柱部９に回動可能に枢着して拡縮径可能に取り付けられ、このストッパ片１２、１３には、ストッパ片１２、１３を拡径方向に付勢するばね１４が設けられて構成されている。
台座部１０は、支持部材８を装着孔２内に設置するとき、装着孔２の下部で支承される部分であるので、台座部１０の外形状は、装着孔２の下部の形状に合致して支承される形状が、安定して支承されるので好ましい。
【００３１】
本実施の形態では、支持部材８の支柱部９には、図３、図４および図５に示すように貫通する縦長孔１５が垂直方向（軸方向）に設けられ、この縦長孔１５には、支柱部９と直交する水平方向に２枚の軸受プレート１６ａ、１６ｂが対抗する平行に設けられ、ストッパ片１２、１３は、この対抗して平行する軸受プレート１６ａ、１６ｂ間に、先端側を互いに反対方向に向かって翼状に突出して配置し、基端１２ａ、１３ａ側を軸受プレート１６ａ、１６ｂに枢支して回動可能としている。このストッパ片１２、１３の基端１２ａ、１３ａは、少しの間隔を保持して隣り合わせで対峙して配置されている。
【００３２】
好ましくは、前記軸受プレート１６ａ、１６ｂには、図７に示すように軸受孔１７が設けられ、ストッパ片１２、１３には枢軸１８が突設され、ストッパ片１２、１３は枢軸１８を軸受孔１７に枢支して回動可能とし、この軸受孔１７は水平方向の長孔に形成し、ストッパ片１２、１３を該長孔の軸受孔１７の範囲で水平方向移動可能とすると、支持部材８を装着孔２内に立設固定し、装着孔２内に挿入されたベッド柵６の筒状ステー７内に挿入するとき、支持部材８は、筒状ステー７と軸心が一致しなくても、ストッパ片１２、１３が移動して対応でき、挿入可能となるので望ましい。
【００３３】
また、前記平行する軸受プレート１６ａ、１６ｂは、図５、図７に示すように支持部材８の支柱部９の縦長孔１５に、水平方向移動可能に装着し、この軸受プレート１６ａ、１６ｂの上端外周面に切欠１９を設け図４に示すように支柱部９の上端面から該切欠１９に向けてピン２０を挿入し、軸受プレート１６ａ、１６ｂの移動量をこの切欠１９の範囲に規制するようにすると、この構成においても支持部材８は、筒状ステー７と軸心が一致しなくても、ストッパ片１２、１３を枢支する軸受プレート１６ａ、１６ｂが移動することでストッパ片１２、１３も移動して対応でき、筒状ステー７に挿入可能となるので好ましい。
【００３４】
前記ストッパ片１２、１３を直接移動させる構成と、前記軸受プレート１６ａ、１６ｂを移動させる構成は、いずれか一方だけでも、両者を併用してもよい。両者を併用すると支持部材８と筒状ステー７との軸心が一致しなくても支持部材８が筒状ステー７に挿入可能となる対応能力が向上するので好ましい。
【００３５】
また、前記ストッパ片１２、１３を拡径方向に付勢するばね１４は、図３、図６および図７に示すように支持部材８の支柱部９のストッパ片１２、１３の下側に、ストッパ片１２、１３に当接して中心に長孔２１ａを有する規制プレート２１が、支柱部９の縦長孔１５に沿って上下動可能に設けられ、該規制プレート２１の下側に規制プレート２１を押圧して設けられている。ばね１４の弾発付勢力を規制プレート２１を介してストッパ片１２、１３に伝達することで、確実に伝達できストッパ片１２、１３の作動を確実にすることができる。
【００３６】
前記固定ボルト２２は、図３、図４および図５に示すように先端側の外周面にねじ２４が設けられた中空の筒体２３で形成され、ベッドフレーム１の下端面外側から装着孔２内に挿入し、図３に示すように装着孔２内に配置された支持部材８の台座部１０内周面のねじ１１に螺入し同心的にねじ結合し、支持部材８をベッドフレーム１との間に締め付け、装着孔２内に立設固定する構成となっている。また、固定ボルト２２には、図３、図４および図９に示すように筒体２３の中空内に向けてピン２５が突設されている。さらに、固定ボルト２２の筒体２３の内径２６は、下端側が小径２７で、段部２９を介して上方が大径２８に形成されている。
【００３７】
前記操作部材３０は、図２、図３および図４に示すように前記固定ボルト２２の下端面より中空の筒体２３内に挿入し、この筒体２３と同心的にねじ結合している支持部材８の支柱部９内に到達させ、該支柱部９に設けた２つのストッパ片１２、１３の基端１２ａ、１３ａ間に差し抜きするロックピン３１を有する。
【００３８】
本実施の形態では、操作部材３０は、図４、図８および図９に示すように操作摘み３２に軸部３３が突設され、該軸部３３の頂部にロックピン３１が固設されてなり、軸部３３は操作摘み３２側が小径部３４で、この小径部３４から段差３６を介して頂部側が大径部３５に形成され、該大径部３５の外面には垂直方向に凹溝３７が設けられている。前記固定ボルト２２には筒体２３の中空内に向けてピン２５が突設されているので、前記操作部材３０をロックピン３１側から固定ボルト２２の筒体２３内に挿入し、該ピン２５と軸部３３の大径部３５の凹溝３７が一致したときは操作部材３０の進退が許容され（図８（ａ）（ｂ）参照）、ロックピン３１が支持部材８の支柱部９内に到達し、２つのストッパ片１２、１３の基端１２ａ、１３ａ間に差し込まれ、ストッパ片１２、１３の回動を規制した状態で操作部材３０を水平方向に回動させると、固定ボルト２２のピン２５の位置が凹溝３７位置よりずれて段差３６部分となり（図８（ｃ）参照）、この段差３６がピン２５に係止され操作部材３０の下動（抜き取り方向の移動）が規制されロック状態を維持する構成となる。
【００３９】
また、固定ボルト２２の筒体２３の内径２６は、下端側が小径２７で、段部２９を介し上方が大径２８に形成されているので、図３に示すように操作部材３０の軸部３３の小径部３４は、小径２７の内径部分に位置し進退し、軸部３３の大径部３５は、大径２８の内径部分に位置し進退する。従って、操作部材３０の下方向への移動は、軸部３３の大径部３５が小径２７の内径部となる段部２９で係止され規制されることとなる。
【００４０】
さらに、前記支持部材８の台座部１０と操作部材３０の軸部３３との間に、図３、図５、図８および図９（ｄ）に示すように軸部３３を下方に向かって弾発付勢するばね３９が介在する。従って、操作部材３０は、ばね３９で常に下方に向かって弾発付勢されているので、操作部材３０の差し込み操作は、ばね３９の弾発力に抗して差し込む（進入する）こととなるが、軸部３３の段差３６がピン２５で係止されている状態では、軸部３３がばね３９で押圧され、段差３６がピン２５に押し付けられた状態となるので、この係止、即ち、ロックピン３１がストッパ片１２、１３の基端１２ａ、１３ａ間に挿入してロックした状態が確実に保持されることになる。従って、図４および図８に示すように軸部３３の大径部３５の段差３６に、係止段部３８を設けると、ロックピン３１のロック状態で操作部材３０を水平方向に回動させると、ピン２５は段差３６の係止段部３８に落ち込み（図８（ｃ）参照）、操作部材３０の不用意な回動を防止するので、ロック状態は確実に保障されるので好ましい。
【００４１】
次に、支持部材８、固定ボルト２２および操作部材３０のガイドフレーム１の装着孔２への組み付け方法を説明する。
まず、図９（ａ）に示すように支持部材８を、ベッドフレーム１の装着孔２内の下部に配置する。この時、支持部材８の台座部１０は、装着孔２内の下部と合致する形状となっているので、支持部材８は、装着孔２内の下部に安定して位置させることができる。
次に、図９（ｂ）に示すように固定ボルト２２の筒体２３に、上方開口より操作部材３０を挿入し、筒体２３の内径２６の下部の小径２８の部分より操作部材３０の軸部３３の小径部３４を嵌入し、その先端部分を下方に外出させた後、図９（ｃ）に示すように下方より外出した先端に操作摘み３２を固定して取付ける。
次に、このように組み付けた組立体を、図９（ｄ）に示すように操作摘み３２の軸部３３の頂部にばね３９をセットし、これをベッドフレーム１の装着孔２の下端開口を介し、装着孔２内に配置した支持部材８に向けて挿入し、図９（ｅ）に示すように固定ボルト２２の筒体２３のねじ２４を、支持部材８の台座部１０の内周面のねじ１１に螺入し、同心的にねじ結合すると共に、支持部材８をベッドフレーム１との間に締め付け、図９（ｅ）に示すように支持部材８を装着孔２内に立設固定する。
このようにして取り付けられた支持部材８と固定ボルト２２は、固定ボルト２２の筒体２３のねじ２４が、支持部材８の台座部１０内周面のねじ１１に螺入し同心的にねじ結合しているため、固定ボルト２２の中空と支持部材８の台座部１０、支柱部９の中空は、同心的に連続している。
【００４２】
次に、前記実施の形態にかかるベッド柵の取付装置の作用について説明する。
ベッド柵６の筒状ステー７の下端側は、図２、図３に示すように先端に向けてテーパ状に縮径されているが、この筒状ステー７をベッドフレーム１の装着孔２に上方開口より挿入すると、図９（ｅ）に示すように装着孔２内に立設固定された支持部材８の支柱部９は、装着孔２の略中心に位置して立設固定されており、筒状ステー７は装着孔２にガイドされて挿入されるため装着孔２に同心的に進入して行く。従って、ベッドフレーム１の装着孔２に挿入された筒状ステー７に対し、支持部材８が支柱部９の頂部から筒状ステー７の中空内に嵌入して行く。この時、支柱部９のストッパ片１２、１３は、回動可能であるので、図６（ａ）に示すように支持部材８の支柱部９は、筒状ステー７の下端開口よりストッパ片１２、１３がばね１４の弾発力に抗して回動されて縮径されつつ筒状ステー７内に進入する。ストッパ片１２、１３の部分が筒状ステー７のテーパ状の縮径部分を通過すると、図９（ｂ）に示すようにストッパ片１２、１３はばね１４で復元した拡径状態となり、先端が筒状ステー７の内壁面に当接した状態となる。
【００４３】
ここで操作部材３０の回動操作で大径部３５の凹溝３７を、固定ボルト２２のピン２５の位置と一致させてると、操作部材３０の進入が可能となるので、操作部材３０をばね３９の弾発力に抗して押し込むと、操作部材３０の軸部３３頂部に設けられたロックピン３１は、図６（ｂ）（ｃ）（ｄ）に示すように支持部材８の支柱部９内に到達し、支柱部９に設けた２つのストッパ片１２、１３の基端１２ａ、１３ａ間に差し込まれる。これによりストッパ片１２、１３の回動は規制され拡径（拡翼）状態に固定される。従って、筒状ステー７を引き抜こうとしても、筒状ステー７の下端側はテーパ状に縮径しているので、ストッパ片１２、１３で係止され、引き抜くことはできず筒状ステー７の引き抜きがロックされる。
【００４４】
このロックピン３１がストッパ片１２、１３の基端１２ａ、１３ａ間に差し込まれ、筒状ステー７をロックしたら、操作部材３０を回動させると固定ボルト２２のピン２５の位置が、図８（ｃ）に示すように凹溝３７の位置よりずれて段差３６の部分となり、この段差３６がピン２５に係止されて操作部材３０の下動が規制されるので、ロック状態を維持することとなる。この時、操作部材３０は、ばね３９で常に下方向に付勢されているので、段差３６はピン２５に押圧されて操作部材３０の不用意な回動が防止される。特に、図８（ｃ）に示すように段差３６に係止段部３８を設けると、ピン２５がこの係止段部３８に係止されて回動が規制されるため、操作部材３０の不用意な回動は確実に防止され、ロック状態維持の信頼性が更に向上するので好ましい。
【００４５】
このロック状態からロック解除するときは、操作部材３０を回動させ、図８（ｂ）に示すように大径部３５の凹溝３７と固定ボルト２２のピン２５の位置を一致させて、操作部材３０を引き下げ、そのロックピン３１をストッパ片１２、１３の基端１２ａ、１３ａ間から引き抜くことによって解除できる。即ち、ロックピン３１をストッパ片１２、１３の基端１２ａ、１３ａ間から引き抜くと、ストッパ片１２、１３は回動可能となるので、筒状ステー７を引き抜くと、ストッパ片１２、１３は回動し縮径して筒状ステー７の引き抜きを許容することになる。
また、図３、図４および図９（ｂ）〜（ｄ）に示すように固定ボルト２２の筒体２３の内径２６は、下端側が小径２７で、段部２９を介し上方が大径２８に形成されているので、操作部材３０の軸部３３の小径部３４は、小径２７の内径部分に位置し進退し、軸部３３の大径部３５は、大径２８の内径部分に位置し進退する。従って、操作部材３０の下方向への移動は、軸部３３の大径部３５が小径２７の内径部となる段部２９で係止され規制されるので、この操作部材３０の引き下げは、ここでストップされるので、操作部材３０は、この固定ボルト２２に取り付けられた状態を維持でき、抜け落ちることもない。
【００４６】
また、ベッド柵６の筒状ステー７を、ベッドフレーム１の装着孔２に挿入し、装着孔２内に立設固定した支持部材８に装着するとき、ストッパ片１２、１３は、図６および図７に示すようにその枢軸１８が軸受プレート１６ａ、１６ｂの長孔の軸受孔１７に枢支して回動可能となっているので、ストッパ片１２、１３は長孔の軸受孔１７の範囲で水平方向移動可能となり、支持部材８と筒状ステー７の軸心が一致しなくてもストッパ片１２、１３が移動して対応し挿入可能となり、取り付けできる。
更に、軸受プレート１６ａ、１６ｂも切欠１９の範囲で移動可能となっているので、ここでも支持部材８と筒状ステー７の軸心が一致しなくても、ストッパ片１２、１３を枢支する軸受プレート１６ａ、１６ｂが移動することでストッパ片１２、１３も移動して対応でき、筒状ステー７に挿入可能となる。
これらの構成により、ベッド柵の取付がきわめて容易となる。
【００４７】
図１０乃至図１３は、本発明の他の実施の形態を示し、図１０はその要部断面図、図１１はその要部拡大断面図、図１２はその要部正面図、図１３は図１２Ａ−Ａ線断面図である。
この実施の形態は、装着孔２内に支持部材８を設置する時、装着孔２の下部にアダプター４０を設置し、このアダプター４０を介し支持部材８を装着孔２下部に設置するもので、他は実施の形態と同様であるので、同様な構成要素には、同じ符号を付して他の詳細な説明は省略する。
【００４８】
アダプター４０は、中空の短筒状であって、前記支持部材８の台座部１０が略々合致して嵌入する内周形状の中空で、ベッドフレーム１の装着孔２の下部内周面形状に略々合致する外形状である。
従って、このアダプター４０は、ベッドフレーム１の装着孔２の下部内周面形状に略々合致する外形状であるので、ベッドフレーム１の装着孔２内の下部に、合致して嵌入設置でき、安定した設置ができるし、支持部材８の台座部１０は、このアダプター４０に合致して嵌入して設置できるので、支持部材８は安定してアダプター４０に取り付けることができる。
【００４９】
このようなアダプター４０を使用することによって、ベッドフレーム１の装着孔２の下部の形状に、種々のものが存在しても支持部材８を全ての装着孔２内に安定して立設固定することが可能となる。即ち、ベッドフレーム１の装着孔２の下部の形状に種々のものが存在しても、それに対応する台座部１０の支持部材８を揃える必要がなく、アダプター４０を用意することで全て対応可能となる。
例えば、ベッドフレーム１の装着孔２の下部の形状が、図２および図３に示すように下方に向かってテーパ状に縮径する形状であり、支持部材８の台座部１０の外形状が、この装着孔２内の下部の形状に合致した外形状となっていると、この支持部材８を、図１０乃至図１３に示すような略同一内径の装着孔２に設置しても、台座部１０と装着孔２内の下部の形状が合致しないため、不安定な設置となる。しかし、図１０乃至図１３に示すようにこのアダプター４０を使用することによって対応が可能となり、安定した設置ができることとなる。
【００５０】
なお、前記実施の形態は、本発明を制限するものではなく、本発明は要旨を逸脱しない範囲において、種々の変形が許容される。
【産業上の利用可能性】
【００５１】
本発明のベッド柵の取付装置は、介護施設などで患者が暴れるなどしてベッド柵をベッドフレームから取り外そうとしても、容易に取り外すことができず、一方、介護者等には、簡単操作にて速やかにベッドフレームから取り外すことができるという効果を有し、介護ベッド等のベッドに取り付けられて、就寝者や被介護者、或いは寝具などがベッド上から転落するのを防止するベッド柵の取付装置等として有用である。
【図面の簡単な説明】
【００５２】
【図１】本発明の実施の形態を示す全体の説明斜視図である。
【図２】本発明の実施の形態を示す要部断面図である。
【図３】本発明の実施の形態を示す要部拡大断面図である。
【図４】本発明の実施の形態を示す各部材の斜視図である。
【図５】本発明の実施の形態を示す分解斜視図である。
【図６】ストッパ片の作用を工程順（ａ）（ｂ）（ｃ）（ｄ）に示す断面図である。
【図７】ストッパ片の作動状態を示すストッパ片部分の斜視図（ａ）（ｂ）（ｃ）である。
【図８】操作部材の作動状態を示す操作部材部分の斜視図（ａ）（ｂ）（ｃ）である。
【図９】本発明の実施の形態に示すベッド柵取付装置の組み付け方法を、工程順（ａ）（ｂ）（ｃ）（ｄ）（ｅ）に示す断面説明図である。
【図１０】本発明の他の実施の形態を示す要部断面図である。
【図１１】本発明の他の実施の形態を示す要部拡大断面図である。
【図１２】本発明の他の実施の形態を示す要部正面図である。
【図１３】図１２Ａ−Ａ線断面図である。
【符号の説明】
【００５３】
１  ベッドフレーム
２  装着孔
５  スリーブ
６  ベッド柵
７  筒状ステー
８  支持部材
９  支柱部
１０  台座部
１１  ねじ
１２、１３  ストッパ片
１２ａ、１３ａ  基端
１４  ばね
１５  縦長孔
１６ａ、１６ｂ  軸受プレート
１７  軸受孔
１８  枢軸
１９  切欠
２０  ピン
２１  規制プレート
２２  固定ボルト
２３  筒体
２４  ねじ
２５  ピン
２６  内径
２７  小径
２８  大径
２９  段部
３０  操作部材
３１  ロックピン
３２  操作摘み
３３  軸部
３４  小径部
３５  大径部
３６  段差
３７  凹溝
３８  係止段部
３９  ばね
４０  アダプター
【図１】
2010004922.tif 000003
【図２】
2010004922.tif 000004
【図３】
2010004922.tif 000005
【図４】
2010004922.tif 000006
【図５】
2010004922.tif 000007
【図６】
2010004922.tif 000008
【図７】
2010004922.tif 000009
【図８】
2010004922.tif 000010
【図９】
2010004922.tif 000011
【図１０】
2010004922.tif 000012
【図１１】
2010004922.tif 000013
【図１２】
2010004922.tif 000014
【図１３】
2010004922.tif 000015